(57)【特許請求の範囲】
【請求項１】
予め、稜線が表われるようにカットされたスイカの直径及び最大胴廻り寸法を画定し、該カットスイカが収容できる深さが得られるように透明基材を二つ折りして該折り線部を底辺にするとともに、前記カットスイカが収容できる横幅をとって左右側辺を熱切断してなる角型袋の一側辺をカットスイカの稜線に合わせるように直線のまま残し、他側辺と底辺との隅角部をカットスイカの外皮のカーブに沿うように熱切断により円弧に形成したことを特徴とするカットスイカ用包装袋。
【発明の詳細な説明】
【０００１】
【発明が属する技術分野】
本発明は、稜線が表われるようにカットされたスイカ、例えば、１／４カットスイカ及びそれ以下のカットスイカを視覚的に綺麗に、しかも衛生的に包み込むとともに、商品陳列棚に他の商品と同様に美麗に並べることのできるカットスイカ用包装袋に関するものである。
【０００２】
【従来の技術】
スイカ（西瓜）は球形又は長球形であって、重さは１５ｋｇに達するものもある。果皮は濃緑から黄色まで変異に富み、縦の縞模様があるものが多い。果肉は紅色が普通であるが、黄色や白色のものもある。このスイカは丸のまま売られることも多いが、核家族化や小子化の影響もあって最近では１／２、１／４及びそれ以下にカットして販売されることも多い。このようなカットスイカは果肉が露出しているので、熟れ具合が判る点で消費者に喜ばれている。
【０００３】
上記カットスイカのカット面は、そのまま食べる面であることから、これが露出したままであると直ぐに水分が蒸発して新鮮さが失われてしまうし、衛生上も好ましくはないので、店頭における陳列時には、そのカット面を透明基材である「食品包装用ラップフィルム」で覆っているのが普通である。
【０００４】
【考案が解決しようとする課題】
しかしながら、前記食品包装用ラップフィルムによりカットスイカのカット面を覆うための作業には多くの人手と時間が必要であった。また、上記フィルムで包装するときに、カットスイカの稜線を崩してしまったり、カット面を圧迫したりすることがあって綺麗に包装できなかったばかりでなく、商品陳列棚には並べることができず、他の商品とは区別して平な台の上に単純に置かれているに過ぎなかった。さらに、上記フィルムではカット面を完璧に覆うことが困難で、僅かな隙間から進入した埃でカット面が汚される虞も皆無とは言えなかった。
【０００５】
本発明は、上記種々の課題を一挙に解消するためのもので、カットスイカを簡単に、しかも視覚的に綺麗に包み込み込むことができ、しかも商品陳列棚に他の商品と同様に美麗に並べることができて埃を完璧に寄せ付けない衛生的に優れたカットスイカ用包装袋を提供することを目的としている。
【０００６】
【課題を解決するための手段】
上記の目的を達成するため、本発明に係るカットスイカ用包装袋は、予め、稜線が表われるようにカットされたスイカの直径及び最大胴廻り寸法を画定し、該カットスイカが収容できる深さが得られるように透明基材を二つ折りして該折り線部を底辺にするとともに前記カットスイカが収容できる横幅をとって左右側辺を熱切断してなる角型袋の一側辺をカットスイカの稜線に合わせるように直線のまま残し、他側辺と底辺との隅角部をカットスイカの外皮のカーブに沿うように熱切断により円弧に形成したことを特徴とし、一側辺をカットスイカの稜線に合わせて収容して開口部を閉じるだけで、カットスイカの稜線及び合掌状に対向するカット面が綺麗に包装できるように構成した。
【０００８】
【発明の実施の態様】
以下、本発明の実施の態様を図１〜図５に基づいて説明する。図１は本願包装袋（稜線を持つカットスイカ用）の正面図、図２は本願包装袋（半割り状カットスイカ用）の斜視図で、（ａ）は全体図、（ｂ）は箱襞状の折り重ね部を立体化させた状態、図３は稜線を持つカットスイカを本願包装袋を用いて包装した状態を示す斜視図、図４は半割り状カットスイカを本願包装袋を用いて包装した状態を示す斜視図、図５（ａ）は稜線状のカットスイカ、（ｂ）は半割り状のカットスイカをそれぞれ示す斜視図である。
【０００９】
本願包装袋１には、稜線を持つカットスイカ用（図１参照）と、半割り状のカットスイカ用（図２参照）とがあり、いずれも透明基材（ＰＰ：ＰＥＴその他の透明性のあるプラスチックフィルム）からなる。この透明基材は防曇フィルム又は、内面に防曇フィルムをラミネートしたフィルムを使用するとよい。
【００１０】
前記稜線を持つカットスイカ（稜線状）用の本願包装袋１は、必要な深さＤ及び横幅Ｗを有する角型袋であって透明基材からなる。その一側辺２は直線のまま残し、他側辺３と底辺４との隅角部を円弧５に形成している。
【００１１】
前記円弧５の曲率半径は自由に決定してよい（図においては底辺４が一部直線になっているが、この直線部分を含めて円弧にする場合もある）。勿論、円弧に代えて三角状にカットしてもよいし、或いは円弧に沿って折れ線グラフ状に連続してカットしてもよい。前記一側辺２の直線は、稜線状のカットスイカを包装するときは、その稜線Ｒに合わせるようになる。
【００１２】
前記一側辺２が直線、他側辺３と底辺４との隅角部が円弧５になった本願包装袋１は、透明基材（Ｄ×２を）二つ折りし、その折り線部を底辺４にし、横幅Ｗを採って左右側辺２及び３を熱切断（切断と切断面の溶着）することにより形成されている。
【００１３】
前記本願包装袋１の深さＤ及び横幅Ｗは、図５（ａ）の如く、予め、稜線を持つカットスイカＳ１  の直径Ａ及び最大胴廻り寸法Ｂを画定し、その画定された寸法に基づいて決定されることとなる。即ち、スイカはその大きさが種々あることから、大きめのスイカを想定することが必要である。
【００１４】
次に、半割り状のカットスイカ用の本願包装袋１について説明する。この本願包装袋１の深さＤ及び横幅Ｗは、図５（ｂ）の如く、予め、半割り状のカットスイカＳ２  の直径Ａ′及び最大胴廻り寸法Ｂ′を画定し、その画定された寸法に基づいて決定された角型袋であって、その底辺４を箱襞状（断面逆Ｍ状）に折り重ね、該折り重ね部４′の両隅角部を三角６、６に形成している。この折り重ね部４′と、三角６、６との構成により底辺４は、図３（ｂ）の如く立体化するようになっている。
【００１５】
前記三角６、６は上述の如く透明基材を二つ折りするに際し、その底部を箱襞状の折り重ね部４′を作り、その折り重ね部４′を底辺４として左右側辺２、３及び折り重ね部の両隅角部を熱切断することにより形成されている。なお、該三角６、６は、図の場合には直線にカットして構成しているが、外に膨らむ円弧にカットすることもある。
【００１６】
前記本願包装袋１の深さＤ及び横幅Ｗは、図５（ｂ）の如く、予め、半割り状のカットスイカＳ２  の直径Ａ′及び最大胴廻り寸法Ｂ′を画定し、その画定された寸法に基づいて決定されることとなる。勿論、半割りスイカの球面状の立体には前記底辺４の折り重ね部４′とその両隅角部の三角６、６とにより対応することとなる。
【００１７】
なお、図示していないが、本願包装袋１は、透明基材を予めチューブ状に押し出したフィルムを用いて熱切断して得てもよい。ここに「熱切断」とは、重ねたフィルムを切断すると同時に溶着させることをいうが、熱シールして部分に沿って切断する場合も含むことは勿論である。
【００１８】
次に、本願包装袋１の使用方法について説明する。まず、稜線状カットスイカ用の本願包装袋１を用い、１／４及びそれ以下にカットした稜線を持つカットスイカＳ１  を包装する場合について説明する。この場合にはカットスイカＳ１  を本願包装袋１に収容するに際し、稜線Ｒを本願包装袋１の一側辺２の直線に合わせる。
【００１９】
次に、他側辺３と底辺４との隅角部に形成されている円弧５を外皮のカーブに沿わせるようにしつつ開口部７を、図３の如く、絞り込んで閉じ手段８（図では針金入りのプラスチック製の紐を用いているが、これに限らない）を用いて閉じる。これによりカットスイカＳ１  はその稜線Ｒ及び合掌状に対向するカット面Ｆが綺麗に包装できるようになる。
【００２０】
次いで、半割り状のカットスイカ用の本願包装袋１を用い、半割り状のカットスイカＳ２  を包装する場合について説明する。この場合にはカットスイカＳ２をその扁平面Ｆ′が本願包装袋１の第一面１′に沿うようにして奥まで挿入して扁平面Ｆ′を第一面１′に密着させる。このとき、箱襞状の折り重ね部４′を持つ底部４を立体化する。
【００２１】
次いで、本願包装袋１の第二面１″をカットスイカＳ２  の半球面に沿わせるようにして開口部７を、図４の如く、絞り込んで閉じ手段８を用いて閉じる。これにより半割り状のカットスイカＳ２  は、前述の如く両隅角部が三角６、６に形成されている底辺４の立体化により綺麗に立体的に包装できるようになる。
【００２２】
上述の如く、本願包装袋１を用いて包装された稜線状のカットスイカや半割り状のカットスイカは、スーパーマーケットやコンビニエンスストアーなどの商品陳列棚に他の商品と同様に美麗に並べることが可能となる。
【００２３】
前記本願包装袋１は、陳列用としての機能は勿論、そのまま持ち帰り用としても機能する。なお、本願包装袋１は上記実施態様ではカットスイカ用として説明しているが、その深さＤ及び横幅Ｗを考慮することにより、カットスイカ以外の球形、長球形の果実（例えば、カットメロン、カットマンゴー、カットグレープフルーツその他）にも応用できることは勿論である。
【００２４】
【発明の効果】
以上の如く、本発明に係るカットスイカ用包装袋は、予め、稜線が表われるようにカットされたスイカの直径及び最大胴廻り寸法を画定し、該カットスイカが収容できる深さが得られるように透明基材を二つ折りして該折り線部を底辺にするとともに、前記カットスイカが収容できる横幅をとって左右側辺を熱切断してなる角型袋の一側辺をカットスイカの稜線に合わせるように直線のまま残し、他側辺と底辺との隅角部をカットスイカの外皮のカーブに沿うように熱切断により円弧に形成したことを特徴としているから、一側辺をカットスイカの稜線に合わせて収容して開口部を閉じるだけで、稜線を持つカットスイカをその稜線及び該稜線を挟んで合掌状に対向するカット面を手間を掛けずに内容物を綺麗に見せて包装できるとともに、商品陳列棚に他の商品と同様に美麗に並べることができ、しかも、埃を完璧に寄せ付けないように衛生的に包装できるなど、各種の優れた効果を奏するものである。
【図面の簡単な説明】
【図１】  本願包装袋（稜線を持つカットスイカ用）の正面図である。
【図２】  本願包装袋（半割りカットスイカ用）の斜視図で、（ａ）は全体図、（ｂ）は箱襞状の折り重ね部を立体化させた状態である。
【図３】  本願包装袋で稜線を持つカットスイカを包装した状態を示す斜視図である。
【図４】本願包装袋で半割りカットスイカを包装した状態を示す斜視図である。
【図５】カットスイカの代表例を示す斜視図で、（ａ）は稜線を持つカットスイカを、（ｂ）は半割りカットスイカをそれぞれ示している。
【符号の説明】
１  本願包装袋
１′  第一面
１″  第二面
２  一側辺
３  他側辺
４  底辺
４′  箱襞状の折り重ね部
５  円弧
６  三角
７  開口部
８  閉じ手段
Ｆ  カット面
Ｆ′半割り面
Ｒ  稜線
Ｓ１  、Ｓ２    カットスイカ
Ａ、Ａ′  直径
Ｂ、Ｂ′  最大胴廻り寸法
Ｄ  深さ
Ｗ  横幅
【図１】
0004195175.tif 000002
【図２】
0004195175.tif 000003
【図３】
0004195175.tif 000004
【図４】
0004195175.tif 000005
【図５】
0004195175.tif 000006